(57)【要約】      （修正有）【課題】日常的な注意事項を最適な時期、タイミングで且つより一層確実に使用者に告知することができる音声告知装置を提供する。【解決手段】ボックス本体１と、ボックス本体内に収容された電源と、ボックス本体に取り付けられ且つ電源に接続され、ボックス本体の周辺を通過する物体を検知するセンサ４と、ボックス本体内に収容されセンサを介して電源に接続されたメッセージ再生ユニットと、電源とセンサとの間に設置されセンサ及びメッセージ再生ユニットをオン/オフ動作させるスイッチ２と、ボックス本体に取り付けられ、メッセージ再生ユニットからの出力信号を音声出力するスピーカ５とを備えた音声告知装置１０である。そして、センサが物体の通過を検知すると、演算処理部が記憶部から告知メッセージを読み出してスピーカに送付し、スピーカから告知メッセージを音声で出力する。【選択図】図１
0003191611.tif 000002
【実用新案登録請求の範囲】
【請求項１】
ボックス本体と、
ボックス本体内に収容された電源と、
ボックス本体に取り付けられ且つ前記電源に接続され、ボックス本体の周辺を通過する物体を検知するセンサと、
ボックス本体内に収容され前記センサを介して電源に接続されたメッセージ再生ユニットと、
前記電源とセンサとの間に設置され前記センサ及びメッセージ再生ユニットをオン/オフ動作させるスイッチと、
ボックス本体に取り付けられ、前記メッセージ再生ユニットからの出力信号を音声出力するスピーカと、を備え、
前記メッセージ再生ユニットは、予め告知内容を表す複数の告知メッセージが記録された記憶部と、この記憶部から告知メッセージを読み出して前記スピーカへ送付する演算処理部とから成り、
センサが物体の通過を検知すると、前記演算処理部が記憶部から告知メッセージを読み出してスピーカに送付し、スピーカから告知メッセージを音声で出力することを特徴とする音声告知装置。
【請求項２】
前記演算処理部は、センサが物体の通過を検知すると、記憶部から複数の告知メッセージを予め決められた順に読み出してスピーカに送付し、スピーカから複数種類の告知メッセージを順々に音声で出力することを特徴とする請求項１記載の音声告知装置。
【請求項３】
記憶部に記録される複数の告知メッセージ種類、及び複数の告知メッセージを読み出順序は変更可能であることを特徴とする請求項１記載の音声告知装置。
【考案の詳細な説明】
【技術分野】
【０００１】
本考案は、日常的な注意事項を最適な時期、タイミングで使用者に音声で告知する音声告知装置に関する。
【背景技術】
【０００２】
我々の日常生活には、絶えず注意を払わなくてはならないことが生活空間に存在する。しかしながら、上記「注意を払わなくてはならないこと」があまりにも日常的すぎるために「つい、うっかり」とか、「別のことを考えていた」、「時間にせまられて」などの理由で、注意を払うべき大切な事柄が欠如してしまうことがある。より具体的には、「毎朝の出勤時」や「所用で外出する時」など、「ガスは止めたか」、「火の始末は大丈夫か」、「電気器具のスイッチは切ったか」、「鍵は閉めたか」など、種々の注意事項があり、これらの注意事項のうち何項目かを忘れて心配したことは誰でも経験することである。
【０００３】
これを解決するための一方策としては、玄関口付近の壁などに注意書きを貼付し、関係者が外出するときに目視或いは指さし確認するなどの方法がある。しかしこの方法では、上記注意書きを見落としたり気が付かなかったりする可能性が高く、告知効果は充分とはいえない。
【０００４】
また、関係者に確認を促す告知装置の従来技術としては、例えば先行技術文献１に開示されたものがある。これは、一般家庭や事務所などに設置されたホームオートメーションシステムにおいて、管理対象物（電気コンロなど）の電源のＯＮ／ＯＦＦや稼働・非稼働など、管理対象物の状態を表す状態信号を受けて、それらの状態をモニタ画面に表示するものである。このモニタ画面を見ることで電気器具などの切り忘れをチェックすることができる。
【先行技術文献】
【特許文献】
【０００５】
【特許文献１】特開２００１−２８５９６４号公報
【考案の概要】
【考案が解決しようとする課題】
【０００６】
しかしながら、上記従来の告知装置にあっては、管理対象物の状態を表す状態信号を受けて、それらの状態をモニタ画面に表示するものであるため、その状態を通知する信号を発生しない管理対象物（例えばガスコンロ、水道の蛇口、たばこの火等）は告知対象物から除外され、充分な告知ができないという虞があった。また、上記従来の告知装置モニタ表示方式であるため、外出時などの幾分あわただしさがある場合にはモニタ画面を見て確認する動作が欠落しやすいという不具合もあった。
【０００７】
本考案は上記従来技術の不具合に鑑みてなされたものであり、その目的は日常的な注意事項を最適な時期、タイミングで且つより一層確実に使用者に告知することができる音声告知装置を提供することである。
【課題を解決するための手段】
【０００８】
上記目的を達成するために本考案は、音声告知装置として、ボックス本体と、ボックス本体内に収容された電源と、ボックス本体に取り付けられ且つ前記電源に接続され、ボックス本体の周辺を通過する物体を検知するセンサと、ボックス本体内に収容され前記センサを介して電源に接続されたメッセージ再生ユニットと、前記電源とセンサとの間に設置され前記センサ及びメッセージ再生ユニットをオン/オフ動作させるスイッチと、ボックス本体に取り付けられ、前記メッセージ再生ユニットからの出力信号を音声出力するスピーカとを備えたことを要旨とする。この音声告知装置において、前記メッセージ再生ユニットは、予め告知内容を表す複数の告知メッセージが記録された記憶部と、この記憶部から告知メッセージを読み出して前記スピーカへ送付する演算処理部とから成る。そして、センサが物体の通過を検知すると、前記演算処理部が記憶部から告知メッセージを読み出してスピーカに送付し、スピーカから告知メッセージを音声で出力するものである。
【０００９】
前記演算処理部は、センサが物体の通過を検知すると、記憶部から複数の告知メッセージを予め決められた順に読み出してスピーカに送付し、スピーカから複数種類の告知メッセージを順々に音声で出力するようにしてもよい。また、記憶部に記録される複数の告知メッセージ種類、及び複数の告知メッセージを読み出順序は変更可能にすることもできる。これにより、告知すべき複数種類の告知メッセージの内、重要度の高いものを先にユーザに告知し、より一層注意を促すことができる。
【考案の効果】
【００１０】
以上のように、本考案によれば、構造的に簡易な音声告知装置に複数種類の告知メッセージが記憶され、外出などに際して、ユーザが音声告知装置の前を通過するだけで、火の始末や電気の切断等の日常的な注意事項を最適な時期、タイミングで使用者に音声で告知するため、注意告知が確実に行われるという効果が得られる。
【図面の簡単な説明】
【００１１】
【図１】本願考案の一実施の形態に係る音声告知装置を表す斜視図である。
【図２】前記実施の形態に係る音声告知装置の内部回路構成を表すブロック図である。
【図３】前記実施の形態における告知メッセージを記録する記憶部のメモリ構成を示す図である。
【考案を実施するための形態】
【００１２】
以下、本考案を図面に示した実施の形態により詳細に説明する。図１は本考案の一実施形態に係る音声告知装置の外観構成を表す斜視図である。この音声告知装置１０は、当該装置の筐体を構成するボックス本体１と、ボックス本体１の上部に取り付けられ且つボックス本体１内に収容された電源（後出の６）に接続されたスイッチ２と、スイッチのオン/オフ動作に伴い点灯、消灯動作をするパイロットランプ３と、スイッチ２を介して電源６に接続されボックス本体の周辺を通過する物体を検知するセンサ４と、告知すべきメッセージが音声として出力されるスピーカ５とを備えている。ボックス本体は、図１に示されているように、直方体構造を有しており、高さ寸法９〜１０センチメートル（ｃｍ）、幅寸法約７ｃｍ、奥行き寸法約３ｃｍ位に成形されている。また、ボックス本体１の内部には電気的な回路ユニットとして、センサ４を介して電源６に接続されたメッセージ再生ユニット７が備えられている。
【００１３】
図２は本実施の形態に係る音声告知装置１０の内部回路構成を表すブロック図である。電源６には、乾電池、小型バッテリのような蓄電池が用いられる。電源６にはスイッチ２が接続されてセンサ４やスピーカ５、或いはメッセージ再生ユニット７のオン/オフ動作をコントロールする。センサ４には赤外線センサなどが用いられ、当該センサ４にはメッセージ再生ユニット７が接続される。メッセージ再生ユニット７は、センサ４に接続された制御部９と、この制御部９に接続され予め告知内容を表す複数の告知メッセージが記録された記憶部８とから成る。制御部９はＣＰＵなどの演算処理手段から成っており、センサ４、スピーカ５及び記憶部８の動作をコントロールするとともに、この制御動作の一環として、記憶部８から告知メッセージを読み出して制御部９に接続されたスピーカ５へ送付する。記憶部８には一般的には読み出し専用メモリ（ＲＯＭ）が用いられ、複数の告知メッセージが通常は固定的に記憶されている。ただし、必要に応じては書き換え可能なメモリ（ＲＡＭ）を用いてもよく、告知メッセージの内容等を入れ替えできるようにしてもよい。
【００１４】
図３は本実施の形態における告知メッセージを記録する記憶部８のメモリ構成を示す図である。この図に示すように、記憶部８のメモリ構成は告知メッセージの項目を表すナンバー（Ｎｏ．）欄１１と、メッセージ内容欄１２とで構成され、Ｎｏ．１には「お出掛けですか？」、「ご苦労さまです。」なる告知メッセージが格納され、Ｎｏ．２には「火の始末は大丈夫？」なる告知メッセージが格納されている。また、Ｎｏ．３以下のナンバー欄１１に対応するメッセージ内容欄１２には、
Ｎｏ．      メッセージ内容
３      「ガスの始末は大丈夫？」
４      「電気の始末は大丈夫？」
５      「水の始末は大丈夫？」
６      「忘れものはない？」
７      「頼まれたことはない？」
８      「鍵は必ず閉めてネ！」
９      「気をつけてネ！」  「ゆっくりネ」
のメッセージが格納されている。なお、上記ナンバー欄１１における項目の数については告知したい事項に応じて増減することができる。また、メッセージ内容欄１２に格納されるメッセージの種類についても告知したい事項に応じて増減することができる。
【００１５】
以上の構成を有する音声告知装置１０の動作について以下説明する。直方体構造のボックス本体から成る音声告知装置１０は通常の状態では、家屋の玄関とか事務所の出入り口付近の棚の上などに載置されており、作動状態にするためにスイッチ２はオンにされる。この状態で、ユーザが外出するために音声告知装置１０の前を通りかかると、センサ４が通過する物体を検知して検知信号をメッセージ再生ユニット７の制御部９へ送付する。制御部９はセンサ４から検知信号を受け取ると、記憶部８から告知メッセージを読み出しスピーカ５へと送付する。スピーカ５は制御部９から受け取った告知メッセージを音声として出力する。制御部９は記憶部８から告知メッセージを読み出すに当たっては、例えば、図３に示されたナンバー欄１１にしたがってＮｏ．１、Ｎｏ．２、・・・の順に、対応するメッセージ内容欄１２の告知メッセージを読み出す。そして、スピーカ５は上記の順にしたがって、最初はＮｏ．１に対応する「お出掛けですか？」、「ご苦労さまです。」の音声メッセージを出力し、次いでＮｏ．２に対応する「火の始末は大丈夫？」の音声メッセージを出力する。
これにより、外出しようとするユーザは、注意を払わなくてはならないことが音声により伝えられることにより、忘れていた事柄などを思い出したり、意識し直したりでき、「つい、うっかり」忘れたとか、「別のことを考えていた」ため見落としたとか、「時間にせまられて」始末する行動が欠落したなどといったことがなくなる。
【００１６】
なお、上記制御部９は、センサ４が物体の通過を検知すると、記憶部８から図３に示された複数の告知メッセージを予め決められた順に読み出してスピーカ５に送付し、スピーカ５から複数種類の告知メッセージを順々に音声で出力するようする例について上に説明したが、記憶部８に記録される複数の告知メッセージの種類、及び複数の告知メッセージを読み出す順序は変更可能にすることもできる。これにより、告知すべき複数種類の告知メッセージの内、重要度の高いものを先にユーザに告知し、より一層注意を促すことができる。
【産業上の利用可能性】
【００１７】
本考案によれば、小型で簡易な構造の音声告知装置に複数種類の告知メッセージを記憶し、外出などに際して、ユーザが音声告知装置の前を通過するだけで、火の始末や電気の切断等の日常的な注意事項を最適な時期、タイミングで使用者に音声で告知することにより、注意告知が確実に行われ、有用である。
【符号の説明】
【００１８】
１  ボックス本体
２  スイッチ
３  パイロットランプ
４  センサ
５  スピーカ
６  電源
７  メッセージ再生ユニット
８  記憶部
９  制御部（ＣＰＵ）
１０  音声告知装置
１１  ナンバー欄
１２  メッセージ内容欄
【図１】
0003191611.tif 000003
【図２】
0003191611.tif 000004
【図３】
0003191611.tif 000005